(57)【要約】【課題】ボトル倒れ防止の仕切板などの対向部に生じる隙間を小さくすることが出来る冷蔵庫を提供する。【解決手段】合成樹脂板からなるボトル仕切板を並列に並べる時に、一体成形加工による合成樹脂にて回転軸を作り、該回転軸をボトル仕切板の横方向の巾以内に納め、かつ、野菜収納容器の底面の一部をボトル仕切板の厚さ相当分だけ窪みを設けることにより、ボトル仕切板を使わない時は、回転させることにより倒して該窪みに収納し、ボトル仕切板が野菜収納容器の底面と面一となるようにした。尚、該窪みの両側内面の立上り部にはボトル仕切板の回転軸を受ける軸受けを設けた。【選択図】  図１
2004324940.tif 000002
【特許請求の範囲】
【請求項１】
野菜収納容器の底面の一部をボトル仕切板の厚さの分下げることによりボトル仕切板を使わない時はボトル仕切板を倒すことにより収納ボトル仕切板が野菜収納容器の底面と面一となるようにし、底面をボトル仕切板のほぼ厚さ分だけ下げた窪みの両側の立上り壁部には該回動自在の軸が挿入される軸受を設け、かつボトル仕切板の下方となる部分に回動自在の軸を設け、ボトル仕切板を使う時は起して使うことを特徴とする冷蔵庫。
【請求項２】
ボトル仕切板の両端に設ける回転軸の先端がボトル仕切板の全巾より外側に出ないように回転軸の周囲を窪ませた冷蔵庫。
【請求項３】
野菜収納容器の底面等に収納されているボトル仕切板を起すために、ボトル仕切板の回転軸から離れた側に、手の指が入る大きさの穴をあけたことを特徴とする請求項１記載の冷蔵庫。
【請求項４】
ボトル仕切板を起すために、回転軸からはずれた位置、即ち、主仕切部とは反対側に指で押す位置を設けたことを特徴とする請求項１記載の冷蔵庫。
【請求項５】
ボトル仕切板を容器の底面に収納した時、ボトル仕切板と容器の底面が同一面となるように設計されたボトル仕切板収納付野菜室を有する冷蔵庫。
【請求項６】
同一容器内に複数枚のボトル仕切板が設置される際に側面同士が対向して並んだ時にボトル仕切板同志の間に動作上干渉防止の面から必要とするわずかな隙間以上の隙間がないことを特徴とする請求項３又は請求項４記載の冷蔵庫。
【請求項７】
ボトル仕切板の側面と従来の倒れ防止レバーの側面が向い合う側のボトル仕切板の端面に指を掛けるハンドル部を設け、指の先が当る面をわずかに窪め、かつ、窪めた反対側の面にスベリ止めの盛上り部を設けたことを特徴とする請求項１記載の冷蔵庫。
【請求項８】
野菜収納容器底面に収納される、ボトル仕切板の厚さを決める時に、ボトル仕切板を起さずにボトルを収納した時には、野菜収納容器の密閉蓋が持ちあがり、野菜収納室の扉が閉らない寸法関係即ち、「ペットボトルの高さ＜野菜収納室の高さ＜（ボトル仕切板の厚さ＋ペットボトルの高さ）」とした、寸法関係にあることを特徴とする請求項１記載の冷蔵庫。
【請求項９】
野菜収納容器底面に収納されるボトルを起して使う時に、ボトル仕切板が９０°以上回転しすぎないように、回転レバー防止の止め部をボトル仕切板のフランジ部に設けその受け部を野菜収納容器の底面部に同時成形加工したことを特徴とする請求項１記載の冷蔵庫。
【請求項１０】
野菜収納容器成形加工時の抜き勾配の関係で底ほど寸法が小さくなる容器に於いて野菜収納容器底面に収納されたボトル仕切板が野菜などの重量物で押されて、下がったりして、野菜収納容器の内壁と接する直前でボトル仕切板がそれ以上下らないように野菜収納容器の内面にボトル仕切板のストッパーを設けたり、ボトル仕切板のフランジ部に凸起を設けたことを特徴とする請求項１記載の冷蔵庫。
【発明の詳細な説明】
【０００１】
【発明の属する技術分野】
本発明は冷蔵庫に係り特に野菜収納容器の手前側にペットボトル等を収納するために仕切板を設けた冷蔵庫に関するものである。
【０００２】
【従来の技術】
従来の冷蔵庫を図１４から図１５および図１６を参照して説明する。図１４は従来の冷蔵庫の要部斜視図である。図１５は従来冷蔵庫の要部平面図である。図１４と図１５において、１０１は野菜収納容器であり、この容器１０１はボトル倒れ防止のレバー１０２を回転自在に固定するための野菜収納容器側面１０１ａに設けたレバー回転軸部受け１０１ｂと正面に設けたレバー回転軸部受け１０１ｃとレバーの落下防止１０１ｄとから形成されている。容器倒れ防止レバー１０２はボトル類が収納されていない時は野菜収納容器の正面側に起して正面の内壁に密接して収納されている。したがって、野菜収納容器内を広く使うことが出来る。ところが、容器倒れ防止レバー１０２の両端の回転軸部の寸法が、容器たれ防止レバーが多少湾曲しても、抜けてこないようにするため、長目の約２０ｍｍ位あるために図１５に示す如く、外形ＢＷのボトルの収納本数を増やすために、容器倒れ防止レバーを２本並べて設置するようにすると、この軸部だけで４０ｍｍ必要となり、ボトルを立てて収納する時のスペースが小さくなるために、野菜収納容器の内巾がボトルが５本並ぶ寸法、即ち外形ＢＷの５倍以上の寸法があっても４本しか並ばないことになる。
【０００３】
このボトル倒れ防止レバー同士が作る空間ＬＤはペットボトルを収納出来ないデットスペースとなる。なお、このような冷蔵庫は２〜３年前から製品化されている。
【０００４】
【特許文献】
なし
【０００５】
【発明が解決しようとする課題】
以上述べたように、従来の冷蔵庫にあっては、野菜収納容器の内側の巾は５本のボトルを並べた時の巾以上の寸法はあっても、容器倒れ防止のレバー１０２は回転軸部の長さＬ１とＬ２の和が必要となるため、（Ｌ１＋Ｌ２）の寸法分（ＬＤ）がボトルの収納に使えないため、５本収納できる所に４本しか収納できないと云う問題があった。
【０００６】
本発明の第１の目的はレバーを分割しても容器の内法寸法分が有効に使える冷蔵庫を提供することにある。
【０００７】
また、容器倒れ防止レバーは冷蔵庫内で色々な収納物に触れる可能性があるので、見た目に清潔感を出すために、又錆たりしないようにステンレス鋼で作り、強い力がかかっても曲ったりの変形をしないように直径５ｍｍ位のステンレス鋼を使っていたので高価についた。そこで、ボトルの収納本数を増やすために、２本使いにして、ボトル２本収納とボトル３本収納の分割方式にすると、更に高価につくので、本発明の第２の目的は安価に出来る方法を採用した冷蔵庫を提供することにある。
【０００８】
また、安価にするために、容器倒れ防止レバーの材質を合成樹脂等にて製作するときには、強度上かなりの体積を有する構造となるので、本発明の第３の目的は倒れ防止レバー（本発明では以下ボトル仕切板と称する）が容器内の有効内容積を縮めないようにした冷蔵庫を提供しなければならない。
【０００９】
更に、合成樹脂製のボトル仕切板にして、ボトル仕切板として使わない時は、野菜収納容器の内側の底面に倒して収納しておき、使う時には起して使うことにし、本発明の第４の目的は起しやすくしておく必要がある。
【００１０】
【課題を解決するための手段】
上記第１の目的を達成するために、本発明の冷蔵庫に係る第１の手段はレバーの両側にある回転軸部の寸法を短かくするか、倒れ防止板の有効寸法より出張らないようにすることである。
【００１１】
そのためには、図５に示す如く、倒れ防止板を合成樹脂材で成形加工して、両サイドの回転軸部２ａを有効寸法Ｗ内にて成形することである。
【００１２】
また、上記第２の目的を達成するために、本発明の冷蔵庫に係る第２の手段は、多少形状が複雑でも合成樹脂の射出成形加工にて作り、リブなども適当に設けるなどして曲りにくくすることで安く作ることである。
【００１３】
また、上記第３の目的を達成するために、本発明の冷蔵庫に係る第３の手段は容器内を拡く使うために、ボトルを収納しない時は、ボトル仕切板を容器の底面をボトル仕切板の厚さだけ低く窪ませることにより、ボトル仕切板を倒して、底面に収納することにする。尚、ボトル倒れ防止板であるボトル仕切板の回転軸の軸受部を容器の後側にほゞボトル巾に応じた分だけ寄せて設けることにして、使う時は起して使い、ボトル仕切板の側面に設けた突起が容器の内壁に設けた突起に係合するようにしておくことにより、ボトル倒れ防止板であるボトル仕切板自身を起して使う時に、倒れないようにしておく。
【００１４】
さらに、上記第４の目的を達成するために、本発明の冷蔵庫に係る第４の手段は、容器の底面に収納されているボトル仕切板を起して使う時に起しやすくするために、ボトル仕切板の端に指先が入る位の穴をあけたり、切欠いたりして、指先をひっかけることによりボトル仕切板が起き上るようにしたり、回転軸より反対側を押すことにより、ボトル仕切板側が起き上るようにしたものである。
【００１５】
このようにしたことにより、従来の回転軸部に必要としていた寸法約２０ｍｍを短かくすることが出来るために、限られた容器の内側にほぼ内側の寸法に匹敵する仕切板を立てることが出来るので、容器の手前側に収納するボトルの外径の和が、容器の内側寸法に匹敵する巾に等しいだけ収納出来るので収納効率が高く、従来に比較して多く収納することを可能にした。
【００１６】
【発明の実施の形態】
以下、本発明の詳細を図１から図１３に示す実施の形態で説明する。
【００１７】
図１および図２は本発明の一実施例である半巾のボトル仕切板が一枚組込まれた形態を示す野菜収納容器の要部斜視図、および断面図である。
【００１８】
図３は本発明の一実施例である半巾のボトル仕切板が二枚組込まれた形態を示す野菜収納容器の要部斜視図である。
【００１９】
図４は本発明の一実施例である全巾のボトル仕切板が組込まれた形態を示す野菜収納容器の要部斜視図である。
【００２０】
図５は本発明の一実施の形態を示す、ボトル仕切板の回転軸部をボトル倒れ防止板の巾寸法内に設けた平面図（Ａ）およびその正面図（Ｂ）である。
【００２１】
図６は本発明の一実施の形態を示す、ボトル仕切板が容器の底面に収納された状態を示す縦断面図である。
【００２２】
図７は本発明の一実施の形態を示す、二枚のボトル仕切板が接近した時のボトル仕切板を引き起す手段を設けたボトル仕切板の平面図である。
【００２３】
図８は本発明の一実施の形態を示す、一枚のボトル仕切板と一個のボトル倒れ防止レバーが並設された時の要部平面図である。
【００２４】
図９は図８のボトル仕切板をＮ点から見た側面図である。
【００２５】
図１０は本発明の一実施の形態を示す、ボトル仕切板を起して使う時の倒れ防止部のストッパー構造を示す要部斜視図（Ａ）および嵌合時の断面図（Ｂ）である。
【００２６】
図１１は本発明の一実施の形態を示す、ボトル仕切板を起して使う時にボトル仕切板が９０°以上回転するのを防止する構造を示す要部断面図（Ａ）、ボトル仕切板軸受部（Ｂ）およびボトル仕切板中心部の突起を示す断面図（Ｃ）である。
【００２７】
図１２は本発明の一実施の形態を示す、ボトル仕切板が容器の底面に収納された時のそり防止構造を示す要部断面図である。
【００２８】
図１３はペットボトルを野菜収納容器に収納する時に、ボトル仕切板を起さずに収納した時（Ａ）はペットボトルの先端が野菜収納室の天井に組込まれている密閉蓋を持ち上げ、ボトル仕切板を起して収納した時（Ｂ）は、密閉蓋が正常に閉じている位置関係を示す野菜収納室縦断面図である。
【００２９】
図において、１は冷蔵庫の野菜収納容器であり、この容器内には野菜、果物の他にペットボトルに入った飲料水などが複数本収納されることがある。又、容器は一般には冷蔵庫の最下段に設定されており、野菜収納容器を収納する野菜室の扉に組込まれており、扉の開閉は公知の引出し式になっている。したがって、扉を勢い良く開閉すると、立てて保存されているボトルが倒れて同じ野菜収納容器内に保存されている野菜にぶつかったり、野菜の上に倒れたりすると、野菜が押しつぶされて、変形したり、鮮度が早く落ちたりする。そこで、従来はボトルの倒れ防止のためにレバー等で防いでいた。しかし、該レバーの回転軸受部の寸法が長く、ボトルの収納本数を多く出来なかった。そこで、本発明は図１および図２に示す如く、野菜収納容器１の底面の一部を窪めてボトル仕切板２の収納部１ａとし、ペットボトルを収納しない時はボトル仕切板２を倒すことにより収納部１ａに納まり、ボトル仕切板の厚さ２ｃと容器底面の窪みの深さ寸法１ｃを同一としたことにより、ボトル仕切板２の平面部が野菜収納容器１の底面と同一面となるようにした。したがって、ペットボトルが収納されない時はボトル仕切板２を倒して収納することにより、容器１の底と同じ平面になるので野菜や表皮の軟かい果物を収納しても段差によって果実等に傷つくことがなく安心して保存できる。
【００３０】
また、ボトル仕切板２を底面収納部１ａに収納することにより、底面が拡くなるので、白菜等の大きな野菜でも丸ごと収納できる。
【００３１】
図３において、２ａおよび３ａはボトル仕切板であり、２ｂおよび３ｂは該ボトル仕切板の収納部である。本発明はペットボトルの収納部を拡大した時に２ａおよび３ａのボトル仕切板を起して使えば良く、収納本数が少ない時は野菜容器内の野菜の収納状況に応じて、２ａ又は３ａのボトル仕切板を片側の一枚だけを起して使える事が出来るので、野菜室内を効果的に使い分けが出来る。
【００３２】
図４において、４は野菜収納容器１の横巾全巾に亘って設けられたボトル仕切板であり、ミネラルウォーター等の入ったペットボトル等を収納本数の多い家庭に向く構造であり、ボトル仕切板４が一枚なので部品点数が少なく製造原価が安く冷蔵庫を安価に提供できる。
【００３３】
さらに、野菜室を仕切って使うことが出来るので、ボトル収納側に表皮の軟らかい果実、又は小さな野菜とかを収納して使い分けが出来る。また、小物野菜を収納した時は区分けされているので見つけやすい利点がある。
【００３４】
図５において、２はボトル仕切板であり、２ｄは該ボトル仕切板２と同時成形加工された回転軸部であり、両端の回転軸２ｃ同士の先端までの寸法Ｗはボトル仕切板の巾２ｅと同じに出来ている。したがって、回転軸２ｃを受ける部分をボトル仕切板の巾２ｅ以内に設けることにより、ボトル仕切板２を複数枚並べて設置する時に、回転軸部２ｄがボトル仕切板２より外に出ることがなくなり、従来のようにレバーの軸受部の寸法Ｌ１やＬ２が不要となり、並べて使う時に、不要な隙間が生じることもなくボトル等を数多く収納することが出来る。
【００３５】
図６において、１は野菜収納容器の断面図であり、１ｂは野菜収納容器１の底面に設けたボトル仕切板の収納部、２ｆはボトル仕切板の縦断面図である。
【００３６】
図７において、３はボトル仕切板であり、該ボトル仕切板３の３ｄは回転軸、３ｆはボトル仕切板の先端部近くに設けた引き起し穴であり、野菜収納容器の底に倒しておいたボトル仕切板３を起して使う時に起しやすくするために手の指先が入る位の大きさにあけてある。
【００３７】
さらに、図７において、３はボトル仕切板であり、該ボトル仕切板３の３ｄは回転軸、３ｇはボトル仕切板の回転軸近くに設けた押し込み部であり、指先にて押し込むと回転軸３ｄを回転軸としてボトル仕切板３が起き上るので指で容器の底面に収納されていたボトル仕切板３を図１０に示すストッパー部５まで起してストッパー５にボトル仕切板３の突起３ｊを係合するとボトル仕切板は野菜収納容器１を仕切る格好となるので、ペットボトルを入れたり、野菜と果物を区分けして収納することが出来る。
【００３８】
図８において、従来のレバー式倒れ防止１０２と並行して本発明のボトル仕切板３を設置した時に、ボトル仕切板３を起しやすくするために工夫されたものである。即ち、ボトル仕切板３と従来の容器倒れ防止レバー１０２が対向する側のボトル仕切板３の端面を図８に示す如く指を掛けるハンドル部３ｈを設け、図８のＮ点からの視図（図９）に示す如く指の先が当たる面３ｃをわずかに窪め、かつ窪めた反対側の面にスベリ止めの盛上り部３ｉを設けることにより隙間Ｍから指を入れてボトル仕切板３を指にてつまんだ時にボトル仕切板３を起しやすくする。
【００３９】
さらには、図１１に示す如くボトル仕切板２を起して使うとき図面（Ａ）には、ボトル仕切板２が９０°以上回転しすぎないように回転オーバー防止の止め部（ストッパー）２ｉをボトル仕切板２の両側回転軸部に、その受部２ｋを容器の底部両側図面（Ｂ）に、さらにボトル仕切板の回転軸側（下部）のフランジの中心部が当る位置として野菜容器の底面に突起１ｅ図面（Ｃ）を設けた。
【００４０】
図１０において、ボトル仕切板を起して使う時はボトル仕切板３の両側の突起３Ｊが野菜収納容器１に設けた弾力性のある両サイドの内側に設けた凸起５と係合して位置が決まり、ボトル仕切板３においてもボトル仕切板２の回転オーバー止め２ｉが働くのと同じくボトル仕切板３を起して使う時は必ず垂直に近くなり、ボトル仕切板３にペットボトルとか、野菜が上方からぶつかったとしても、ボトル仕切板３が傾いて、開きすぎていることがないので、逆方向の力がボトル仕切板にはかからないので破損することを妨げる。
【００４１】
図１２に示す如く、本発明ではボトル仕切板２を起さずに野菜とか、ペットボトルを乗せた時に重さでボトル仕切板２が曲って湾曲などの変形を起さないように、ソリ防止用の受け１ｄを野菜収納容器の底面のボトル仕切板２の先端が接するところに設けた。また、ボトル仕切板２の両側のフランジには突起２ｈを設けてボトル仕切板２が曲っていたり反っていたりしてもボトル仕切板２が野菜収納容器の底面に接し荷重を受ける構造とした。
【００４２】
図１３に示す如く野菜容器の深さ寸法Ｈがペットボトルの高さ寸法ｈよりわずかに深い時はボトル仕切板３を起さずに倒したままで、その上にペットボトルを乗せた時はペットボトルの注入口が野菜収納容器の深さ寸法Ｈより高くなり、野菜室扉に組込まれた野菜収納容器を扉と共に冷蔵庫に押込んだ時、ペットボトルの注入口の先端が冷蔵庫の野菜室の天井に組込まれている密閉蓋６をｈ′だけ持ち上げる形となり、密閉蓋６が持ち上って野菜収納容器との間に隙間が出来て、長時間気づかないでいると、野菜の水分が冷蔵庫の冷却器に吸着して、乾燥してしまうので、ボトル仕切板３の厚さＢＴを決める時に、ボトル仕切板３を起さずにペットボトルを収納した時には野菜収納容器の密閉蓋６が持ち上がり、野菜収納室の扉が閉らない寸法関係、即ち「ｈ（ペットボトルの高さ）＜Ｈ（野菜収納室の高さ）＜ＢＴ（ボトル仕切板の厚さ）＋ｈ（ペットボトルの高さ）」寸法関係とした。
【００４３】
また、図１２に示す如く野菜容器の前面が成形金型の抜き勾配の関係でわずかに底面方向が狭くなる方向に傾斜しているためにボトル仕切板２が倒れている時はボトル仕切板受１ｄがないとペットボトル等の重さで押され下へ、即ち勾配の傾斜により寸法がより小さくなる方向へ押されてだんだんにきつくなり、起して使おうとする時に、引き上げにくくなるが、ボトル仕切板２の両端のフランジに荷重受用突起２ｈを付けてストッパーとしたので、ある所以上に下がることもなくきつくなることがない。更に、ボトル仕切板のソリ防止を兼ねたボトル仕切板受１ｄは、ボトル仕切板を倒して収納しておく時に、ボトル仕切板のフランジ部を受けるので、重量物がボトル仕切板の上に乗っても曲ったりすることがない。
【００４４】
【発明の効果】
以上詳細に説明したように、本発明によれば、野菜容器の底面の一部をボトル仕切板の厚さ分だけ窪めて下げることにしたので、ボトル仕切板を使わない時は野菜容器の底面に収納され、底面と同一面となるので、容器内を広く使うことが出来る。したがって、白菜などの大きな野菜も丸ごと収納できる。また、ボトル仕切板を合成樹脂の射出成形加工にて作ったので安価に提供できる。
【００４５】
ボトル仕切板の両端に設ける、回転軸の先端がボトル仕切板の全巾より外側に出ないようにしたので、ボトル仕切板を複数枚続けて並べて設置する時に、回軸部の長さ方向の寸法分が不必要となり、無駄なスペースがなくなるのでペットボトル等を数多く収納することが出来る。又、小物が入っても接続部の隙間がないのではみ出ることがない。
【００４６】
野菜収納容器の底面に収納されるボトル仕切板を起すための手の指先が入る大きさの穴がボトル仕切板にあけてあるので、ボトル仕切板を複数枚つづけて設置するときでも指先を掛ける隙間を別にボトル仕切板の横方向に設けなくてもすむので、ボトル仕切板の有効な巾が広くなり、それだけボトル類の収納本数が多くなる。
【００４７】
また、野菜収納容器の底面に収納されるボトル仕切板を起すための押し付け部が回転軸からはずれた、即ち、主仕切部とは反対側に設けてあるので、指先で押すだけで、仕切板が回転して起上がるので、あとは垂直に立てるだけなので、ボトル仕切板を複数枚つづけて設置する時でも、指先を掛ける隙間をボトル仕切板の横に別に設けなくてすむので、ボトル仕切板の有効巾が広くなり、ボトル類の収納本数を多くすることが出来る。
【００４８】
ボトル仕切板を野菜収納容器の底面に収納した時に、ボトル仕切板が野菜収納容器の底面を構成する部分が野菜収納容器の底面と同一面となるように野菜収納容器の一部を窪ませてボトル仕切板を収納するようにしたので、野菜収納容器の底面が平坦となり、トマトとか熟れた果物を入れても底面の段差のために傷つくことがなく長持ちさせることが出来る。
【００４９】
同一野菜収納容器内に複数のボトル仕切板が設置される時にボトル仕切板の側面同士が対向して並んだ時にボトル仕切板同士の間に動作上お互いに干渉せずに動ける隙間以上の寸法を設けないので無駄な隙間がなく野菜収納容器内を全巾に渡ってボトル等を立てたり、細目の小物等を立てたりしてもボトル仕切板の継ぎ目の隙間からはみだしたり、倒れたりすることがなくなる。
【００５０】
ボトル仕切板を起して使う時は、垂直になるので、真上からの外力がかかりにくくなるので破損を防止することが出来る。
【００５１】
ボトル仕切板を倒して収納しておく時に、野菜収納容器の成形時の抜き勾配の関係でボトル仕切板が収納物の重力のため下に下がるときつくなってくるのであるが、ボトル仕切板の両端のフランジ部に突起をつけきつくなる前に止まるようにしたので、ボトル仕切板を起して使う時に摩擦がなく起しやすい。
【００５２】
ボトル仕切板の端面のハンドル部に指先が当る面を僅かに窪め、かつ、窪めた反対側の面にスベリ止めの盛上り部を設けたので、隙間から指を入れてボトル仕切板のハンドルをつまみ上げやすくなった。
【００５３】
また、ボトル仕切板の厚さを決める時に、ボトル仕切板を起さずにボトルを収納した時は野菜収納容器の密閉蓋を持ち上げる寸法関係としたので、誤って、ボトルをボトル仕切板の上にのせたまま、扉を閉めても、野菜室の密閉蓋が持ち上って扉が閉まらないのですぐに気がつき、隙間が発生するようなことがない。
【００５４】
ボトル仕切板を倒して収納しておく時に、ボトル仕切板のフランジ部を野菜収納容器の内面に設けたソリ防止用受けで受けるようにしたので、重量物がボトル仕切板の上に乗っても曲ったりすることがない。
【００５５】
さらには、ボトル仕切板を起して使う時に、ボトル仕切板が９０°以上回転しすぎないように、回転オーバー防止の止め部をボトル仕切板の両端及び回転軸側のフランジ部に設け、その受部を野菜室の内面に設けたので９０°以上の開きを防止できる。かつ、破損を防止できる。
【図面の簡単な説明】
【図１】本発明の一実施例である半巾のボトル仕切板が一枚組込まれた形態を示す野菜収納容器の要部斜視図である。
【図２】本発明の一実施例である半巾のボトル仕切板が一枚組込まれた形態を示す野菜収納容器の断面図である。
【図３】本発明の一実施例である半巾のボトル仕切板が二枚組込まれた形態を示す野菜収納容器の要部斜視図である。
【図４】本発明の一実施例である全巾のボトル仕切板が組込まれた形態を示す野菜収納容器の要部斜視図である。
【図５】本発明の一実施の形態を示す、（Ａ）はボトル仕切板の回転軸部をボトル倒れ防止板の巾寸法内に設けた平面図である。（Ｂ）はＣから見た正面図である。
【図６】本発明の一実施の形態を示す、ボトル仕切板が容器の底面に収納された状態を示す縦断面図である。
【図７】本発明の一実施の形態を示す、二枚のボトル仕切板が接近した時のボトル仕切板を引き起す手段を設けたボトル仕切板の平面図である。
【図８】本発明の一実施の形態を示す、一枚のボトル仕切板と１個のボトル倒れ防止レバーが並設された時の要部平面図である。
【図９】本発明の一実施の形態を示す、ボトル仕切板をＮ点から見た側面図である。
【図１０】本発明の一実施の形態を示す、ボトル仕切板を起して使う時の倒れ防止部のストッパー構造を示す要部斜視図（Ａ）および嵌合時の断面図（Ｂ）である。
【図１１】本発明の一実施の形態を示す、ボトル仕切板を起して使う時にボトル仕切板が９０°以上回転するのを防止する構造を示す要部断面図（Ａ）ボトル仕切板軸受部（Ｂ）およびボトル仕切板中心部の突起を示す断面（Ｃ）である。
【図１２】本発明の一実施の形態を示す、ボトル仕切板が容器の底面に収納された時のそり防止構造を示す要部断面図である。
【図１３】本発明の一実施の形態を示し、（Ａ）はペットボトルを野菜収納容器に収納する時に、ボトル仕切板を起さずに収納した時にペットボトルの先端が野菜収納室の天井に組込まれている密閉蓋を持ち上げた状態を示し、（Ｂ）はボトル仕切板を起して収納した時に、密閉蓋が正常に閉じている位置関係を示す野菜収納室縦断面図である。
【図１４】従来の冷蔵庫の要部斜視図である。
【図１５】従来の冷蔵庫の要部平面図である。
【図１６】従来の冷蔵庫において、ボトルの収納本数を増やすために容器倒れ防止レバーを２本並べて設置した例である。
【符号の説明】
１…冷蔵庫の野菜収納容器、１ａ…収納部、１ｂ…ボトル仕切板の収納部、１ｃ…窪みの深さ、１ｄ…ソリ防止用の受け、１ｅ…突起、２…ボトル仕切板、２ａ…ボトル仕切板の厚さ、２ｂ…ボトル仕切板２ａの収納部、２ｃ…ボトル仕切板の回転軸、２ｄ…ボトル仕切板の回転軸部、２ｅ…ボトル仕切板の巾、２ｆ…ボトル仕切板の断面、２ｈ…突起、２ｉ…回転オーバー止め部、２ｋ…荷重受用突起、３…ボトル仕切板、３ａ…並設されたボトル仕切板、３ｂ…ボトル仕切板３ａの収納部、３ｃ…指の当る面、３ｄ…ボトル仕切板回転軸、３ｆ…引き起し穴、３ｉ…スベリ止めの盛上り部、３ｈ…ハンドル部、３ｇ…押込部、３ｊ…突起、４…全巾のボトル仕切板、５…ストッパー、６…密閉蓋、Ｗ…両端の回転軸２ｃ同士の先端までの寸法、ｈ…ボトルの高さ寸法、ｈ′…密閉蓋の隙間、１０１…野菜収納容器、１０１ａ…野菜収納容器側面、１０１ｂ…レバー回転軸受、１０１ｃ…レバー回転軸、１０１ｄ…レバーの落下防止、１０２…容器倒れ防止レバー、ＬＤ…ボトル倒れ防止レバー間の空間寸法、Ｌ１…倒れ防止レバーの回転軸部長さ、Ｌ２…倒れ防止レバーの回転軸部長さ。
【図１】
2004324940.tif 000003
【図２】
2004324940.tif 000004
【図３】
2004324940.tif 000005
【図４】
2004324940.tif 000006
【図５】
2004324940.tif 000007
【図６】
2004324940.tif 000008
【図７】
2004324940.tif 000009
【図８】
2004324940.tif 000010
【図９】
2004324940.tif 000011
【図１０】
2004324940.tif 000012
【図１１】
2004324940.tif 000013
【図１２】
2004324940.tif 000014
【図１３】
2004324940.tif 000015
【図１４】
2004324940.tif 000016
【図１５】
2004324940.tif 000017
【図１６】
2004324940.tif 000018